(57)【要約】【課題】記録再生装置のピックアップケースが大型化されても、振動によりピックアップケースの軸受とガイドシャフト間のガタから発生する異音を低減しつつ、ピックアップケースをガイドシャフトに沿って正確に移動することができるピックアップケース支持構造を提供する。【解決手段】ピックアップケース３１０の両側部をそれぞれガイドシャフト３２１，３２２で支持し、ピックアップケース３１０をガイドシャフト３２１，３２２に、それぞれローラ６１，７２を介して支持した。ガイドシャフト３２１，３２２と弾性部材間との接触を転がり接触として、異音の低減に必要な付勢力を確保しつつ、ピックアップケースを移動させる為に必要な駆動力低減を図った。  【選択図】 図４
2006228276.tif 000002
【特許請求の範囲】
【請求項１】
ディスク状記録媒体に情報を記録および／または再生するピックアップを収容するピックアップケースの支持構造であって、
前記ピックアップケースは、軸受部を有する一端の第一支持部と他端の第二支持部とを備え、これらの第一支持部と第二支持部との各々がガイドシャフトにより支持され、
前記第一支持部に、前記ガイドシャフトに対して一方向に付勢する弾性部材を搭載した、ことを特徴としたピックアップケースの支持構造。
【請求項２】
請求項１に記載されたピックアップケースの支持構造において、
前記第一支持部は２つの軸受部を有し、前記弾性部材は前記２つの軸受部の中央部を付勢するように配置されてなる、ことを特徴としたピックアップケースの支持構造。
【請求項３】
請求項２に記載されたピックアップケースの支持構造において、
前記第一支持部を案内する前記ガイドシャフトと前記弾性部材との間にローラが設けられている、ことを特徴としたピックアップケースの支持構造。
【請求項４】
請求項３に記載されたピックアップケースの支持構造において、
前記弾性部材は、蛇行した板ばね状の本体部を備え、この本体部の両端側に前記第一支持部と固定する固定片がそれぞれ設けられ、前記２つの軸受部の中央に前記ローラを回転支持する軸部取付片が起立して設けられている、ことを特徴としたピックアップケースの支持構造。
【請求項５】
請求項１から４のいずれかに記載されたピックアップケースの支持構造において、
前記他端の第二支持部は、前記ガイドシャフトを案内する略コの字型形状で、前記第一支持部の軸受中心とした回動を制止する為のガイド部を備えた、ことを特徴としたピックアップケースの支持構造。
【請求項６】
請求項５に記載されたピックアップケースの支持構造において、
前記他端の第二支持部に、前記ガイドシャフトに対して一方向に付勢する弾性部材を搭載した、ことを特徴としたピックアップケースの支持構造。
【請求項７】
請求項６に記載されたピックアップケースの支持構造において、
前記他端の第二支持部を案内する前記ガイドシャフトと前記弾性部材との間にローラが設けられている、ことを特徴としたピックアップケースの支持構造。
【請求項８】
請求項６または請求項７に記載されたピックアップケースの支持構造において、
前記第一支持部の付勢力を、前記他端の第二支持部の付勢力より低く設定する、ことを特徴としたピックアップケースの支持構造。  
【請求項９】
請求項１から請求項８のいずれかに記載されたピックアップケースの支持構造と、前記ディスク状記録媒体を回転駆動するディスク回転駆動手段と、前記ピックアップケースを前記ディスク回転駆動手段に対して近接離隔する移動機構とを備えた、ことを特徴としたディスク装置。
【発明の詳細な説明】
【技術分野】
【０００１】
本発明は、ディスク状記録媒体に情報を記録および／または再生するピックアップケースの保持部をガイドシャフトで支持する支持構造およびこの支持構造を備えたディスク装置に関する。
【背景技術】
【０００２】
従来、例えばＣＤ（Compact Disc）やＤＶＤ（Digital Versatile Disc）、Ｂｌｕ−ｒａｙ  ＤｉｓｃあるいはＨＤ―ＤＶＤなどのディスク状記録媒体を回転駆動し、情報を適宜読み出しあるいは記録するディスク装置が広く利用されている。
このディスク装置では、通常、ピックアップケース部の片側部に設けられた軸受部と他方のガイド部をシャフトによりそれぞれ案内されている。そしてその駆動方法は、ピックアップケースの軸受側に基端部が設けられた係合部材の先端がシャフトと平行に配置された送りねじ軸に係止されることにより行なわれている。
【０００３】
このような構成のディスク装置では、シャフトがピックアップケースの軸受と保持部を介して滑り接触されるものであり、この軸受構造としては種々のものが採用されている。
例えば軸受構造として、送りねじ軸に近接配置されたシャフトに２カ所の軸受を介して支持されているものがある。また、送りねじ軸に離隔配置された保持部は、シャフトに１カ所の略コの字型形状により他方の軸受を中心とした回動を制止する構造のものがある。
【０００４】
送りねじ軸側に配置された２カ所の軸受けは円筒状のメタル軸受けであり、シャフトとは滑り接触するものである。他方に配置された保持部はシャフトとの接触を確実にするために略コの字型形状の一方をシャフトに付勢する板ばねがピックアップケースに取付けられている。
【発明の開示】
【発明が解決しようとする課題】
【０００５】
近年のディスク装置の開発では、多様なDISC規格の対応、短波長化等の理由によりピックアップが大型化し、結果としてその重量も増加する傾向にある。また、インバランスのディスク状記録媒体の回転時に発生する自励振動により、軸受とシャフト間のガタに起因して異音が発生することがある。
これを解消するためには、軸受とガイドシャフト間の接触を確実にするために、弾性部材の付勢によりガタを取り除くことが考えられる。
前述の異音はピックアップケースの重量が増加した場合には、増大する傾向にあり、軸受とガイドシャフト間の付勢力を大きく設定する必要がある。ガイドシャフトと弾性部材間に滑り接触となる板ばねを使用した場合には、ガイドシャフトと弾性部材間の接触抵抗が大きくなり、ピックアップケースを安定して移動させる為には、弾性部材の追加前に対してより大きな駆動力が必要となる。ピックアップケースを移動させる駆動力に制限がある場合には、ピックアップケースがシャフトに沿って正確に安定して平行移動ができなくなり、ピックアップの正確な移動が阻害される。一方、ピックアップケースの駆動力に余裕がある場合でも、ガイドシャフトと弾性部材間の付勢荷重が大きい場合には、消費電力が増加するばかりでなく、弾性部材の削れ粉等がガイドシャフトと軸受部間に入り込む可能性が生じて、前述の不具合同様に、ピックアップの正確な移動が阻害される。
【０００６】
本発明の目的は、このような実情に鑑みて、ピックアップケースが大型化されても、軸受とガイドシャフト間のガタにより発生する異音を低減しつつ、ピックアップケースをガイドシャフトに沿って正確に移動することができるピックアップケースの支持構造およびディスク装置を提供することである。
【課題を解決するための手段】
【０００７】
請求項１に記載の発明は、ディスク状記録媒体に情報を記録および／または再生するピックアップを収容するピックアップケースの支持構造であって、前記ピックアップケースは、軸受部を有する一端の第一支持部と他端の第二支持部とを備え、これらの第一支持部と第二支持部との各々がガイドシャフトにより支持され、前記第一支持部に、前記ガイドシャフトに対して一方向に付勢する弾性部材を搭載した、ことを特徴としたピックアップケースの支持構造ピックアップケースの支持構造である。
【０００８】
請求項９に記載の発明は、請求項１から請求項８のいずれかに記載されたピックアップケースの支持構造と、前記ディスク状記録媒体を回転駆動するディスク回転駆動手段と、前記ピックアップケースを前記ディスク回転駆動手段に対して近接離隔する移動機構とを備えた、ことを特徴としたディスク装置である。
【発明を実施するための最良の形態】
【０００９】
以下、本発明の一実施形態を図面に基づいて説明する。図１は、本実施形態におけるディスク装置の分解斜視図である。図２は、ディスク装置の枠体に回路基板および下ケースを取り付けた斜視図である。図３は、ベース部および動吸振部の斜視図である。
【００１０】
本実施形態では、ディスク状記録媒体として光ディスクに情報を記録および読み出すディスク装置としてのディスク装置を例示して説明するがこれに限られない。例えば携帯型のディスク装置やディスク装置を備えた映像データの録画などの記録や再生のための処理をする再生装置、記録装置あるいはゲーム機など、光ディスクに限らず、光磁気ディスクなどのいずれのディスク状記録媒体に各種情報を記録あるいは読み出す、いずれのディスク装置を対象とすることができる。また、ディスク状記録媒体の平面が略水平方向に沿って装着される利用形態で説明するが、平面が略鉛直方向に沿って装着される利用形態でも適用できる。
【００１１】
（ディスク装置の構造）
図１ないし図３において、ディスク装置１００は、金属製のケース体１０を有している。このケース体１０は、下面および前面が２面に亘って開口する上ケース１１と、この上ケース１１の下面を閉塞する下ケース１２と、上ケース１１の前面を閉塞する化粧板１３とを有している。
上ケース１１は、長方形平板状の天板部１１ａと、天板部１１ａの長手方向の両側縁に略垂直で一連に折曲形成された側板部１１ｂと、天板部１１ａの長手方向の一端縁に側板部１１ｂと同方向に略垂直で一連に折曲形成された図示しない端板部とにより、下面および前面を開口して形成されている。この上ケース１１の側板部１１ｂの下端縁には、複数箇所、例えば２箇所内方に向けて折曲形成され図示しないねじ孔が穿設された取付片部１１ｄが設けられている。
下ケース１２は、上ケース１１の天板部１１ａと略同形状の長方形平板状に形成されている。この下ケース１２には、天板部１１ａの取付片部１１ｄに対応して上方に向けて膨出するように屈曲され、ねじ孔１２ａが穿設された取付ダボ１２ｂに設けられている。
【００１２】
化粧板１３は、例えばアクリロニトリル−ブタジエン−スチレン（ＡＢＳ；Acrylonitrile-Butadiene-Styrene）などの合成樹脂製の略板状に形成されている。この化粧板１３には、一面に略垂直に突出され、先端部にそれぞれ上ケース１１の側板部１１ｂおよび下ケース１２に係脱可能に係合する図示しない係合爪部が突設されている。また、化粧板１３には、長手方向となる左右方向に長手状の窓部１３ａが開口形成されている。さらに、化粧板１３には、スイッチ操作部１３ｂと、動作確認窓１３ｃとが設けられている。
【００１３】
ケース体１０は、図２に示すような、剛性および絶縁性を有した例えばＡＢＳなどの合成樹脂製の筐体としての枠体１５を備えている。この枠体１５は、上ケース１１、下ケース１２および化粧板１３にて内部に区画される内部空間内に配設されている。そして、枠体１５は、上ケース１１の側板部１１ｂの内面に密着する側面部１５ａと、上ケース１１の端板部の内面に密着する端面部１５ｂと、側面部１５ａおよび端面部１５ｂの内面側に内方に向けて突出する支持リブ１５ｃと、側面部１５ａの端面部１５ｂと反対側の端部に架橋するように設けられた開閉駆動配設部１５ｄとを有し、軸方向の両端面を開口する略四角枠状に形成されている。また、枠体１５の側面部１５ａには、上ケース１１の取付片部１１ｄおよび下ケース１２の取付ダボ１２ｂ間に挾持されてねじ止めされる取付リブ部１５ｅが設けられている。
【００１４】
枠体１５には、本体部２０が配設されている。この本体部２０は、例えば金属製の平板枠状に形成された台座部２１を有している。この台座部２１は、一縁が上下方向に回動可能に他縁が枠体１５の支持リブ１５ｃに取り付けられている。この枠体１５と台座部２１との間には、台座部２１の一縁に沿って、回動案内部２２が取り付けられている。この回動案内部２２は、台座部２１が一体的にねじにて取り付けられる台座部２１の一縁に沿って長手状の取付保持部２２ａと、この取付保持部２２ａの長手方向の両端部に略垂直に一体的に突設され先端が枠体１５の側面部１５ａから突出する支持リブ１５ｃに回動可能に軸支される一対の回動腕部２２ｂとを有している。そして、台座部２１は、回動案内部２２により、回動が案内される。
【００１５】
台座部２１は、図３に示すように、枠体１５の支持リブ１５ｃに取り付けられるベース部２１０と、このベース部２１０に対向して配設される動吸振体としての動吸振部２２０と、を備えている。
ベース部２１０は、略矩形平板枠状に形成され、４隅にフロートゴム２１１，２１２，２１３，２１４が設けられている。これらのフロートゴム２１１，２１２，２１３，２１４は、所定の肉厚寸法を有する略円筒状に形成されていて中心軸に取付孔部が形成されている。
これらのフロートゴム２１１，２１２，２１３，２１４は、枠体１５の端面部１５ｂから突出する支持リブ１５ｃに設けられる支持ボス１５ｆを取付孔部に嵌挿させ、支持ボス１５ｆの先端側からビス止めなどして、枠体１５に取り付けられる。この時、フロートゴム２１１，２１２は端面部１５ｂ側に形成される支持ボス１５ｆに嵌挿され、フロートゴム２１３，２１４は化粧板１３側の支持ボス１５ｆに嵌挿される。
【００１６】
ベース部２１０は、化粧板１３側の一縁が上下方向に回動可能に取り付けられる。そして、この回動により、光ディスク２８をディスクトレイ１６に載置して装置に格納した際に、ベース部２１０に設けられる後述する記録再生装置としてのピックアップ４５がフォーカス方向、すなわち光ディスク２８のディスク面に対して略垂直となる方向に移動可能となる。また、フロートゴム２１１，２１２，２１３，２１４は、ディスク装置１００を駆動させた際に、光ディスク２８がトレイ１６の壁面や光ディスク２８を格納するカートリッジなどに干渉しないサイズに形成されている。
【００１７】
ベース部２１０には、化粧板１３側の一縁側に位置してディスク回転駆動手段２５および移動手段３１が設けられている。
このディスク回転駆動手段２５は、例えばスピンドルモータなどの回転用電動モータ２６と、この回転用電動モータ２６の図示しない出力軸に一体的に設けられた一方の挾持部材としてのターンテーブル２７とを有している。このターンテーブル２７は、光ディスク２８の中心に開口形成された軸孔２８ａに嵌挿する略円柱状の回転軸２７ａと、この回転軸２７ａの外周面にフランジ状に突設され光ディスク２８の軸孔２８ａ周縁が載置される鍔部２７ｂとを有している。そして、ターンテーブル２７の回転軸２７ａの先端部には、図示しない磁石が埋設されている。
【００１８】
移動手段３１は、保持部３１０と、この保持部３１０の両端部をそれぞれ案内する一対のガイドシャフト３２１，３２２と、保持部３１０をガイドシャフト３２１，３２２に沿って往復動させる移動用電動駆動部３３を備えている。
保持部３１０は、略平板状の保持部本体３１００と、この保持部本体３１００の一端部に２カ所形成され一方のガイドシャフト３２１を案内する第１ガイド部３１０１と、保持部本体３１００の他端部に形成され他方のガイドシャフト３２２を案内する第２ガイド部３１０２とを備え、かつ、合成樹脂の射出成形等で一体成形された構造である。
保持部本体３１００には、図示しない光源と、この光源からの光を収束するレンズと、光ディスク２８から反射された光を検出する図示しない光センサとを備えた記録再生装置としてのピックアップ４５が配設されている。
【００１９】
一対のガイドシャフト３２１，３２２は、互いに平行配置されており、かつ、台座部２１の軸支された他縁から回動側の一縁へ向けた方向に沿って配設されている。
移動用電動駆動部３３は、ベース部２１０に固定されたモータ３３０と、このモータ３３０に一端部が連結された送りねじ軸３３１とを備え、この送りねじ軸３３１は、ガイドシャフト３２１，３２２と平行に配置されるとともに、その他端部がベース部２１０に回動自在に支持されている。
保持部３１０の２カ所の第１ガイド部３１０１の間には送りねじ軸３３１の係合溝に係合する係合爪部３４が取り付けられている。そのため、送りねじ軸３３１が回転することで、ピックアップ４５が取り付けられた保持部３１０がガイドシャフト３２１，３２２に沿って往復動される。
【００２０】
図１において、枠体１５には、この枠体１５の内側に支持リブ１５ｃの上方側で水平方向に進退可能に移動するディスクトレイ１６が配設されている。このディスクトレイ１６は、例えば合成樹脂にて略長方形板状に形成されたトレイ部本体１６ａを有している。このトレイ部本体１６ａの一面には、上方に向けて拡開する略円形凹状で光ディスク２８が載置可能な平面部である平面１６ａａと、光ディスク２８を収容する載置凹部１６ａ１とが連続して形成されている。
トレイ部本体１６ａには、載置凹部１６ａ１の略中央から外周縁に亘って本体部２０のディスク回転駆動手段２５およびピックアップ４５に対応して開口する開口部１６ａ２が形成されている。さらに、トレイ部本体１６ａには、移動するピックアップ４５が接触することなく挿入可能な凹状で、開口部１６ａ２の載置凹部１６ａ１の外周側にこの開口部１６ａ２に連続する開口部としての凹状の外側開口部としての凹部１６ａ３が切欠形成されている。この凹部１６ａ３は、収容空間１８に収容された光ディスク２８の最外周に記録された情報を読み取りあるいは最外周の位置に情報を記録する際にピックアップ４５が光ディスク２８の最外周に対応して位置してもトレイ部本体１６ａに当接しないように形成されている。そして、このトレイ部本体１６ａの長手方向の一縁には、化粧板１３と同材質にて形成され、ケース体１０の化粧板１３の窓部１３ａを閉塞する長手板状の窓閉塞板部１６ｂが着脱可能に取り付けられている。
枠体１５には、開閉駆動配設部１５ｄに位置して開閉駆動手段５０が配設されている。この開閉駆動手段５０は、互いに係合して開閉駆動配設部１５ｄに回転自在に軸支された駆動伝達プーリ５２、この駆動伝達プーリ５２に係合する駆動伝達ギヤ５３、およびこの駆動伝達ギヤ５３に係合するとともにディスクトレイ１６に係合する移動ギヤ５４を有している。
【００２１】
開閉駆動手段５０は、出入用電動モータ５５を備えている。この出入用電動モータ５５の出力軸５５ａにはプーリ５６が一体的に設けられている。このプーリ５６と駆動伝達プーリ５２とには無端ベルト５７が掛け渡され、出入用電動モータ５５の駆動により、プーリ５６、駆動伝達プーリ５２、駆動伝達ギヤ５３および移動ギヤ５４が回転し、ディスクトレイ１６が化粧板１３の窓部１３ａから進退可能に移動される。
開閉駆動手段５０は、枠体１５の開閉駆動配設部１５ｄに側面部１５ａの対向方向に沿って移動可能に配設された移動カム５８を有している。この移動カム５８は、台座部２１に一体的に取り付けられた回動案内部２２に係合するとともに、駆動伝達ギヤ５３に係合し、出入用電動モータ５５の駆動にて駆動伝達ギヤ５３が回転すると、移動カム５８が移動して台座部２１を上下方向に回動させる。なお、移動カム５８は、ディスクトレイ１６が後退して枠体１５内に位置する状態で台座部２１を上方に回動させ、ディスクトレイ１６が進退移動する際には、台座部２１が下方に回動されてディスクトレイ１６と干渉しないようになっている。
【００２２】
枠体１５には、側面部１５ａ間に架橋する状態でねじにて固定される回転子支持部材１７が設けられている。この回転子支持部材１７は、例えば金属板がプレス加工されて形成され、周縁が一面側に拡開する状態に傾斜して略薄型皿状に形成されている。そして、回転子支持部材１７の一縁がディスクトレイ１６の載置凹部１６ａ１に対応する円弧状に形成され、載置凹部１６ａ１を略覆って光ディスク２８が収容される収容空間１８を区画形成する。
回転子支持部材１７には、円弧状の一縁の中心と略同位置となる略中央に、ディスク回転駆動手段２５のターンテーブル２７に対向する位置に上方に向けて凹状の支持凹部１７ａが設けられている。この支持凹部１７ａの略中央には、支持孔１７ｂが開口形成されている。この回転子支持部材１７の支持凹部１７ａには、他方の挾持部材としての回転子２９が回転可能に載置されている。そして、回転子２９は、略円盤状で、外周縁が支持孔１７ｂの周縁に係合可能に形成されている。また、この回転子２９には例えば金属板などの図示しない磁性材料が一体的に取り付けられ、回転子２９はターンテーブル２７の磁石の磁力にて光ディスク２８をターンテーブル２７との間で挾持する。
【００２３】
枠体１５には、回路基板６０が取り付けられている。この回路基板６０は、枠体１５に設けられた図示しない基板取付爪部により係脱可能に取り付けられる。回路基板６０は、ケース体１０の下ケース１２と略同寸法の平板状で、枠体１５の下面を閉塞して本体部２０を覆うように取り付けられる。この回路基板６０には、本体部２０の動作を制御する制御回路が搭載されている。
【００２４】
（記録再生装置の支持構造）
図３において、ピックアップケースである保持部３１０は、その第１ガイド部３１０１がガイドシャフト３２１に対して第一支持部６を介して支持され、第２ガイド部３１０２がガイドシャフト３２２に対して第二支持部第二支持部７を介して支持されている。
これらの第一支持部６および第二支持部第二支持部７の具体的な構成が図４から図１０に示されている。
図４は本実施形態の要部が示される平面図、図５は図４のV-V線断面図、図６は図４のVI-VI線断面図、図７は図４のVII-VII線断面図である。
図４から図６において、第一支持部６は、２箇所の第1ガイド部３１０１の間の中心に設けられたローラ６１と、このローラ６１を回転自在に支持し保持部３１０に取り付けられた取付部６２とを備えている。
第１ガイド部３１０１にはガイドシャフト３２１を挿通する孔が形成され、この孔にはガイドシャフト３２１との間での摺動を円滑にするためのメタル軸受けが設けられている。
【００２５】
ローラ６１はガイドシャフト３２１の周面にころがり接触するものであり、合成樹脂製の略円筒状部材から構成されている。
取付部６２は、保持部３１０の２箇所の第1ガイド部３１０１の間に形成された薄板状部に固定された２枚の固定片６２１と、これらの固定片６２１に両端部が接続された板状の本体部６２２と、この本体部６２２の中心に起立して設けられた軸部取付片６２３とを備えて構成され、この軸部取付片６２３は板部６２３ａにローラ６１を回転自在に支持する軸部６２４が取り付けられた構造である。
この取付部６２の具体的な構成が図８に示されている。
固定片６２１は、ねじ取付用の孔６２１ａが形成されている。
本体部６２２は固定片６２１と同一平面上に形成されるものであって、ガイドシャフト３２１を挟んでローラ６１と対向配置される（図６参照）。この本体部６２２はローラ６１をガイドシャフト３２１に付勢する弾性部材として機能するものである。そして本体部６２２は、各部材の取付による荷重バラツキを抑えるようにバネ定数を小さくするため、その平面形状が蛇行して形成されている。
【００２６】
軸部取付片６２３の板部６２３ａに対して軸部６２４がカシメ、接着、ねじ止めなどの適宜な方法で固定される。軸部６２４は、その先端にローラ６１の抜け止め用突起が形成されている。
この取付部６２は、弾性を有する金属製板材、例えば、板金をプレス成型して固定片６２１、本体部６２２および板部６２３ａを形成し、その後、固定片６２１および本体部６２２に対して板部６２３ａを折り曲げ、この板部６２３ａに、予めローラ６１を装着し軸部６２４を取り付けて製造される。
【００２７】
図４、図６および図７には第二支持部７が示されている。これらの図において、第二支持部７は、第２ガイド部３１０２とはガイドシャフト３２２を挟んで対向配置されたローラ７１と、このローラ７１を回転自在に支持し保持部３１０に取り付けられた取付部７２とを備えている。
ローラ７１はガイドシャフト３２２の周面にころがり接触するものであり、合成樹脂製の略円筒状部材から構成されている。
取付部７２は、保持部３１０の底面側に一端が固定された固定片７２１と、この固定片７２１の他端に接続された板状の本体部７２２と、この本体部７２２の先端側に起立して設けられた軸部取付片７２３とを備えて構成され、この軸部取付片７２３は板部７２３ａにローラ７１を回転自在に支持する軸部７２４が取り付けられた構造である。
【００２８】
この取付部７２の具体的な構成が図９に示されている。
固定片７２１は、平板の一部を折り曲げて形成されたものであり、保持部３１０の接する平面部には取付部７２を保持部３１０にねじ止めするためにねじが挿通するねじ取付用の孔７２１ａが形成されている。
本体部７２２は固定片７２１と連続形成されるものであって、ローラ７１を挟んでガイドシャフト３２２と対向配置される（図７参照）。この本体部７２２はローラ７１をガイドシャフト３２２に付勢する弾性部材として機能するものである。
軸部取付片７２３の板部６２３ａに対して軸部７２４が接着、ねじ止めなどの適宜な方法で固定される。軸部７２４は、その先端にローラ７１の抜け止め用突起が形成されている。
【００２９】
この取付部７２は、弾性を有する金属製板材、例えば、板金をプレス成型して固定片７２１、本体部７２２および板部７２３ａを形成し、その後、固定片７２１の一部を折り曲げるとともに、固定片７２１および本体部７２２に対して板部７２３ａを折り曲げ、この板部７２３ａに、予めローラ７１を装着し軸部７２４を取り付けて製造される。
第２ガイド部３１０２は図５および図７に示される通り、２カ所の突出部を有する断面略コ字形に形成されており、そのうち一方の突出部にはガイドシャフト３２２と摺動する摺動部材８が取り付けられている。
この摺動部材８はローラ７１のガイドシャフト３２２を挟んで略対向する位置に配置されており、突出部が嵌合されるように外形が長方形の各筒状に形成されている。
また図４に示されるように、第一支持部第一支持部６におけるローラ６１はガイドシャフト３２１の周面に所定の付勢力をもって付勢されており、第二支持部第二支持部７におけるローラ７１はガイドシャフト３２２の周面に所定の付勢力をもって付勢されている。本実施の形態においては、ローラ７１による付勢力は、ローラ６１による付勢力よりも大きく設定されることがさらに好ましい。第二支持部第二支持部７におけるシャフトとのクリアランスは第一支持部第一支持部６におけるシャフトとのクリアランスよりも大きいからである。
【００３０】
（ディスク装置の動作）
ディスク装置１００では、モータ３３０が回動すると、送りねじ軸３３１が回転する。すると、この送りねじ軸３３１の周面に係合されている係合爪部３４を介して保持部３１０がガイドシャフト３２１，３２２の軸方向に沿って移動する。
この保持部３１０はピックアップ４５を装着しており、このピックアップ４５が移動することで、回転している光ディスク２８に記録されている情報が読み取られ、あるいは、光ディスク２８に情報が記録される。
【００３１】
保持部３２０がガイドシャフト３２１，３２２の軸方向に沿って移動する際、第一支持部６のローラ６１がガイドシャフト３２１に付勢されながらころがり接触し、第二支持部７のローラ７１がガイドシャフト３２２に付勢されながらころがり接触するとともに第２ガイド部３１０２の摺動部材８で摺動する。
ここで、外からの力で保持部３１０がローラ６１，７１から離隔する方向に動いても、ガイドシャフト３２１は第１ガイド部３１０１のメタル軸受けで動きが規制され、ガイドシャフト３２２は第２ガイド部３１０２の摺動部材８とローラ７１とで挟持されることで動きが規制される。これらのメタル軸受けや摺動部材８はガイドシャフト３２１，３２２に対して円滑に摺動する。
【００３２】
（ディスク装置における作用効果）
上述したような本実施形態のディスク装置１００では、ピックアップケースである保持部３１０は、軸受部を有する第一支持部６と第二支持部７とを備え、これらの第一支持部６と第二支持部７との各々がガイドシャフト３２１，３２２により支持され、第一支持部６に、ガイドシャフト３２１，３２２に対して一方向に付勢する弾性部材を搭載した。そのため、最も必要な箇所において弾性部材の付勢によりガタを取り除くことが可能となったので、ピックアップケースが大型化されても、軸受とガイドシャフト３２１，３２２の間のガタにより発生する異音を低減しつつ、ピックアップケースをガイドシャフトに沿って正確に移動することができる
しかも、第一支持部６は２つの軸受部を有し、弾性部材は２つの軸受部の中央部を付勢するように配置されているため、弾性部材による付勢力は２つの軸受部に均等に伝達されるので、ピックアップケースの移動を円滑にすることができる。
【００３３】
さらに、ディスク装置１００では、ピックアップ４５が取り付けられた保持部３１０の両側部をそれぞれガイドシャフト３２１，３２２で支持し、保持部３１０をガイドシャフト３２１，３２２にローラ６１，７２を介して支持した構造とした。そしてガイドシャフト３２１，３２２と弾性部材との接触を、従来の滑り接触に代えてローラ６１，７１を用いた転がり接触に代えたので、これらの間での摩擦抵抗がより少なくなる。従って、保持部３１０やピックアップ４５が大型化されても、保持部３１０およびピックアップ４５のガイドシャフト３２１，３２２に沿った正確な移動が確保でき、さらには自励振動に起因して生じる異音の発生も抑制できる。またピックアップ４５の正確な移動が確保されることにより、ピックアップ４５による情報の読み取り書き込みもより正確に行うことができる。
【００３４】
ローラ６１，７１と保持部３１０との間にはローラ６１，７１をガイドシャフト３２１，３２２に向けて付勢する弾性部材としての取付部６２，７２の本体部６２２，７２２が設けられているから、外力などに起因してローラ６１，７１と保持部３１０との間にずれが生じても、弾性部材によってローラ６１，７１がガイドシャフト３２１，３２２に追従する。従って、この点からも、保持部３１０およびピックアップ４５のガイドシャフト３２１，３２２に沿った正確な移動が確保できる。
【００３５】
保持部３１０は、ガイドシャフト３２１，３２２を案内するガイド部３１０１，３１０２を備えた。そのため、ローラ６１，７１がガイドシャフト３２１，３２２から離隔しようとしても、それをガイド部３１０１，３１０２が規制するため、装置に外力が加わっても、誤ってローラ６１，７１がガイドシャフト３２１，３２２から外れることがない。
【００３６】
保持部３１０の第１ガイド部３１０１がガイドシャフト３２１に対して第一支持部６を介して支持され、この第一支持部６はローラ６１を回転自在に支持する取付部６２を備えている。この取付部６２は、保持部３１０の２箇所の第1ガイド部３１０１の間に形成された薄板状部に固定された２枚の固定片６２１と、これらの固定片６２１に両端部が接続された板状の本体部６２２と、この本体部６２２の中心に起立して設けられた軸部取付片６２３とを備えて構成され、この軸部取付片６２３は板部６２３ａにローラ６１を回転自在に支持する軸部６２４が取り付けられた構造である。そのため、ローラ６１を介して取付部６２に荷重がかかっても、取付部６２は軸部取付片６２３を中心として左右対象な形状とされているので、この荷重が２カ所の固定片６２１に均等に支持されることになる。従って、特定箇所に荷重が集中することで、取付部６２が破損などすることが生じない。しかも、板金などによって取付部６２を容易に製造することができるので、ディスク装置１００の製造コストを低いものにできる。
本体部６２２は蛇行した平面ばねから形成されているので、ローラ６１の固定片６２１に対して平行に変位させることができる。そのため、ローラ６１が傾いてガイドシャフト３２１に当接することがないので、保持部３１０およびピックアップ４５の移動が円滑に行われる。
【００３７】
第１ガイド部３１０１は取付部６２を挟んで２カ所設けられているから、保持部３１０がピックアップ４５のレンズ光軸方向を中心として回動しようとしても、２カ所の第１ガイド部３１０１によって回動が規制される。そのため、正確なピックアップ４５の移動を確保することができる。
【００３８】
保持部３１０の第２ガイド部３１０２がガイドシャフト３２２に対して第二支持部７を介して支持され、この第二支持部７はローラ７１を回転自在に支持する取付部７２を備えている。この取付部７２は、保持部３１０の底面側に一端が固定された固定片７２１と、この固定片７２１の他端に接続された板状の本体部７２２と、この本体部７２２の先端側に起立して設けられた軸部取付片７２３とを備えて構成され、この軸部取付片７２３は板部７２３ａにローラ７１を回転自在に支持する軸部７２４が取り付けられた構造である。そのため、板状ばね状の本体部７２２は一端が固定され、他端にローラ７１が取り付けられた構造であるので、本体部７２２の長さを確保することで弾性部材として機能する本体部７２２の弾性力を大きなものにできる。そのため、大きな力で保持部３１０がガイドシャフト３２２に支持される。
【００３９】
ローラ７１のガイドシャフト３２２を挟んで略対向する位置に、ガイドシャフト３２２と摺動する摺動部材８が保持部３１０の第２ガイド部３１０２に設けられているので、この摺動部材８とローラ７１とでガイドシャフト３２２を挟持する構造を採用することで、保持部３１０のガイドシャフト３２２への支持を安定させることができる。
【００４０】
〔実施形態の変形〕
なお、本発明は、上述した一実施の形態に限定されるものではなく、本発明の目的を達成できる範囲で以下に示される変形をも含むものである。
【００４１】
すなわち、本発明のディスク装置１００としては、上述したように、光ディスク２８を対象とした構成に限らず、磁気ディスク、光磁気ディスクなど、光や磁気などにより情報を再生あるいは記録可能ないずれのディスクを対象とすることができる。
【００４２】
また、上記実施形態では、保持部３１０の第１ガイド部３１０１を、第一支持部６を介してガイドシャフト３２１に支持し、第２ガイド部３１０２を、第二支持部７を介してガイドシャフト３２２に支持した構成を採用したが、本発明では、この逆、つまり、第１ガイド部３１０１を、第二支持部７を介してガイドシャフト３２１に支持し、第２ガイド部３１０２を、第一支持部６を介してガイドシャフト３２２に支持した構成を採用してもよい。
【００４３】
また、ローラ６１，６２の数はそれぞれ１個に限定されるものではなく、ガイドシャフト３２１，３２２の軸方向に沿って複数配置されるものでもよい。
さらに、弾性部材としてコイルばねやゴムなどを採用することもできる。
【００４４】
その他、本発明の実施の際の具体的な構造および手順は、本発明の目的を達成できる範囲で他の構造などに適宜変更できる。
【００４５】
〔実施の形態の効果〕
本実施形態のピックアップケースの支持構造は、ピックアップケースである保持部３１０は、軸受部を有する第一支持部６と第二支持部７とを備え、これらの第一支持部６と第二支持部７との各々がガイドシャフト３２１，３２２により支持され、第一支持部６に、ガイドシャフト３２１，３２２に対して一方向に付勢する弾性部材を搭載した。そのため、最も必要な箇所において弾性部材の付勢によりガタを取り除くことが可能となったので、ピックアップケースが大型化されても、軸受とガイドシャフト３２１，３２２の間のガタにより発生する異音を低減しつつ、ピックアップケースをガイドシャフトに沿って正確に移動することができる。
【図面の簡単な説明】
【００４６】
【図１】本発明の一実施形態にかかるディスク装置の分解斜視図である。
【図２】ディスク装置の枠体に回路基板および下ケースを取り付けた斜視図である。
【図３】ベース部の斜視図である。
【図４】本実施形態の要部が示される平面図である。
【図５】図４のV-V線断面図である。
【図６】図４のVI-VI線断面図である。
【図７】図４のVII-VII線断面図である。
【図８】第一支持部の取付部を示す図である。
【図９】第二支持部の取付部を示す図である。
【符号の説明】
【００４７】
６…第一支持部
７…第二支持部
２８…光ディスク（ディスク状記録媒体）
４５…ピックアップ（記録再生装置）
６１…ローラ
６２…取付部
７１…ローラ
７２…取付部
１００…ディスク装置
２１０…ベース部
３１０…保持部（ピックアップケース）
３２１…ガイドシャフト
３２２…ガイドシャフト
６２１…固定片
６２２…本体部
６２３…軸部取付片
７２１…固定片
７２２…本体部
７２３…軸部取付片
３１００…保持部本体
３１０１…第１ガイド部
３１０２…第２ガイド部
【図１】
2006228276.tif 000003
【図２】
2006228276.tif 000004
【図３】
2006228276.tif 000005
【図４】
2006228276.tif 000006
【図５】
2006228276.tif 000007
【図６】
2006228276.tif 000008
【図７】
2006228276.tif 000009
【図８】
2006228276.tif 000010
【図９】
2006228276.tif 000011